(57)【要約】【課題】取り付けおよび取り外しを簡単に行え、平坦面や凹凸面を選ばずに使用することができる清掃装置を提供する。【解決手段】所定の同一平面内において始端から終端に向かうにつれて互いに離反するように配置される一対の挿入ガイド４１，４１に同一平面内において基端から自由端に向かうにつれて互いに近接するように配置される挿入ロッド３４，３４を差し込み、挿入ロッド３４，３４の弾性復元力を利用して清掃具本体２を保持具３に巻き付ける。【選択図】図１
2010252887.tif 000002
【特許請求の範囲】
【請求項１】
被挿入部を有するシート基材の下面に清掃体を一体的に備えた清掃具本体と、上記被挿入部に挿入して上記清掃具本体を保持する保持具とを有する清掃装置において、
上記被挿入部は、挿入始端から終端に向かうにつれて互いに離反するように配置される一対の挿入ガイドを有し、上記保持具は、手によって把持されるグリップと、上記グリップの一端に連結され、上記挿入ガイドに差し込まれる弾性変形可能な一対の挿入ロッドとを有しており、上記挿入ガイドに沿って上記挿入ロッドを差し込むことにより、上記挿入ロッドの弾性変形力で上記清掃具本体が筒状に変形されることを特徴とする清掃装置。
【請求項２】
上記挿入ロッドは、互いに平行または、上記グリップに連結される基端から自由端に向かうにつれて互いに漸次近接するように配置されていることを特徴とする請求項１に記載の清掃装置。
【請求項３】
上記一対の挿入ロッドは、先端側の間隔が上記挿入ガイドの終端の間隔よりも狭くなるように形成されていることを特徴とする請求項１または２に記載の清掃装置。
【請求項４】
上記挿入ガイドは、上記清掃具本体の中心軸を中心に左右対称に配置されていることを特徴とする請求項１，２または３に記載の清掃装置。
【請求項５】
上記清掃具本体には、上記清掃体の上面を互いに向き合わせた状態で保持するための保持手段が設けられていることを特徴とする請求項１ないし４のいずれか１項に記載の清掃装置。
【請求項６】
上記保持具の一部には、上記挿入ロッドの向きを自在に変えるための可撓性シャフトが設けられていることを特徴とする請求項１ないし５のいずれか１項に記載の清掃装置。
【請求項７】
被挿入部を有するシート状の清掃具本体と、上記被挿入部に挿入して上記清掃具本体を保持する保持具とを有する清掃装置において、
上記被挿入部は、上記清掃具本体の両端に形成される一対の挿入ガイドを有し、上記保持具は、手によって把持されるグリップと、上記グリップの一端に連結され、上記挿入ガイドに差し込まれる一対の挿入ロッドとを有しており、上記清掃具本体は、その両端の長さが少なくとも上記挿入ロッドの配置間隔よりも長く形成されており、上記挿入ガイドに沿って上記挿入ロッドを差し込むことにより、上記清掃具本体の一部が弛んで筒状に形成された状態で上記保持具に取り付けられることを特徴とする清掃装置。
【請求項８】
上記清掃具本体は、適度な弾力性を備えた厚手のシート体からなることを特徴とする請求項７に記載の清掃装置。
【請求項９】
上記保持具には、上記清掃具本体を筒状に保形するための第２挿入ロッドが設けられており、上記シート体には、上記第２挿入ロッドが差し込まれる第２挿入ガイドを備えており、上記一対の挿入ロッドおよび上記第２挿入ガイドは、三角形の頂点となる位置に配置されていることを特徴とする請求項７または８に記載の清掃装置。
【請求項１０】
上記保持具にはさらに、上記清掃具本体の内周面に沿って当接し、上記清掃具本体を筒状に保形するクッション保形ロッドが設けられていることを特徴とする請求項７，８または９に記載の清掃装置。
【請求項１１】
上記挿入ガイドは、上記挿入ロッドの挿入される始端から終端に向かうにつれて、互いの間隔が漸次離反するように設けられていることを特徴とする請求項７ないし１０のいずれか１項に記載の清掃装置。
【発明の詳細な説明】
【技術分野】
【０００１】
本発明は、不織布などからなる清掃具本体と、この清掃具本体を保持するための保持具とからなる清掃装置に関し、さらに詳しく言えば、清掃具本体の一部に設けられた被挿入部に保持具を差し込んで取り付ける清掃装置に関する。
【背景技術】
【０００２】
テレビや家具などに付着した埃を除去する清掃具本体の１つとして、シート状の不織布を専用の保持具に取り付けて不織布に埃を吸着させるようにした清掃具本体が提案されている。例えば特許文献１に示すように、この清掃具本体は、不織布ウェブの一部に設けられた挿入部にグリップの保持板を差し込むことにより、取り付けられるようになっている。
【０００３】
これによれば、グリップを手で把持して不織布ウェブで被清掃面を拭うことにより、被清掃面上に付着した埃を不織布ウェブで簡単に捕捉でき、手を汚すことなく清掃できる。また、使用済みの不織布ウェブは、グリップから引き抜くだけで簡単に除去でき、すぐに新しい不織布ウェブに交換することができる。
【０００４】
しかしながら、特許文献１に示すような不織布ウェブを用いた清掃具本体は、不織布ウェブ全体が扁平であることから、机やテレビなどの平坦面を拭うのには適していたが、凸凹した場所や球面、隙間などを清掃するには不向きであった。
【０００５】
そこで、このような問題を解決する清掃具本体として、不織布を筒状に形成したタイプの清掃具本体も提供されている。例えば特許文献２に示すように、この清掃具本体は、筒状に形成された起毛不織布をグリップの一端に差し込むことにより使用され、不織布全体が筒状であるため、凹凸や隙間などに溜まった埃を簡単に除去できるようになっている。
【０００６】
しかしながら、この筒状の不織布を用いた清掃具本体には次のような問題があった。すなわち、不織布をあらかじめ筒状に形成した状態で販売しなければならず、加工コストや材料コストが平坦な不織布ウェブに比べて高くなる。
【０００７】
また、不織布は柔軟で柔らかい素材であるため、筒状に形成された不織布に向けてグリップを差し込んでゆくと、不織布が変形して差し込みにくい。強引に差し込むと、不織布を破壊してしまうこともあった。
【０００８】
【特許文献１】特開２００８−２５３２９４号公報
【特許文献２】特開２００７−１３６１５６号公報
【発明の開示】
【発明が解決しようとする課題】
【０００９】
そこで、本発明は上述した課題を解決するため、その目的は、取り付けおよび取り外しを簡単に行え、平坦面や凹凸面を選ばずに使用することができる清掃装置を提供することにある。
【課題を解決するための手段】
【００１０】
上述した目的を達成するため、本発明は以下に示すいくつかの特徴を備えている。請求項１に記載の発明は、被挿入部を有するシート基材の下面に清掃体を一体的に備えた清掃具本体と、上記被挿入部に挿入して上記清掃具本体を保持する保持具とを有する清掃装置において、上記被挿入部は、挿入始端から終端に向かうにつれて互いに離反するように配置される一対の挿入ガイドを有し、上記保持具は、手によって把持されるグリップと、上記グリップの一端に連結され、上記挿入ガイドに差し込まれる弾性変形可能な一対の挿入ロッドとを有しており、上記挿入ガイドに沿って上記挿入ロッドを差し込むことにより、上記挿入ロッドの弾性変形力で上記清掃具本体が筒状に変形されることを特徴としている。
【００１１】
請求項２に記載の発明は、上記請求項１において、上記挿入ロッドは、互いに平行または、上記グリップに連結される基端から自由端に向かうにつれて互いに漸次近接するように配置されていることを特徴としている。
【００１２】
請求項３に記載の発明は、上記請求項１または２において、上記一対の挿入ロッドは、先端側の間隔が上記挿入ガイドの終端の間隔よりも狭くなるように形成されていることを特徴としている。
【００１３】
請求項４に記載の発明は、上記請求項１，２または３において、上記挿入ガイドは、上記清掃具本体の中心軸を中心に左右対称に配置されていることを特徴としている。
【００１４】
請求項５に記載の発明は、上記請求項１ないし４のいずれか１項において、上記清掃具本体には、上記清掃体の上面を互いに向き合わせた状態で保持するための保持手段が設けられていることを特徴としている。
【００１５】
請求項６に記載の発明は、上記請求項１ないし５のいずれか１項において、上記保持具の一部には、上記挿入ロッドの向きを自在に変えるための可撓性シャフトが設けられていることを特徴としている。
【００１６】
請求項７に記載の発明は、被挿入部を有するシート状の清掃具本体と、上記被挿入部に挿入して上記清掃具本体を保持する保持具とを有する清掃装置において、上記被挿入部は、上記清掃具本体の両端に形成される一対の挿入ガイドを有し、上記保持具は、手によって把持されるグリップと、上記グリップの一端に連結され、上記挿入ガイドに差し込まれる一対の挿入ロッドとを有しており、上記清掃具本体は、その両端の長さが少なくとも上記挿入ロッドの配置間隔よりも長く形成されており、上記挿入ガイドに沿って上記挿入ロッドを差し込むことにより、上記清掃具本体の一部が弛んで筒状に形成された状態で上記保持具に取り付けられることを特徴としている。
【００１７】
請求項８に記載の発明は、上記請求項７において、上記清掃具本体は、適度な弾力性を備えた厚手のシート体からなることを特徴としている。
【００１８】
請求項９に記載の発明は、上記請求項７または８において、上記保持具には、上記清掃具本体を筒状に保形するための第２挿入ロッドが設けられており、上記シート体には、上記第２挿入ロッドが差し込まれる第２挿入ガイドを備えており、上記一対の挿入ロッドおよび上記第２挿入ガイドは、三角形の頂点となる位置に配置されていることを特徴としている。
【００１９】
請求項１０に記載の発明は、上記請求項７，８または９において、上記保持具にはさらに、上記清掃具本体の内周面に沿って当接し、上記清掃具本体を筒状に保形するクッション保形ロッドが設けられていることを特徴としている。
【００２０】
請求項１１に記載の発明は、上記請求項７ないし１０のいずれか１項において、上記挿入ガイドは、上記挿入ロッドの挿入される始端から終端に向かうにつれて、互いの間隔が漸次離反するように設けられていることを特徴としている。
【発明の効果】
【００２１】
本発明によれば、所定の同一平面内において始端から終端に向かうにつれて互いに離反するように配置される一対の挿入ガイドに向けて、同一平面内において基端側から自由端側に向かうにつれて互いに近接するように配置された一対の挿入ロッドを差し込むことにより、挿入ロッドの弾性復元力を利用して、シート状の清掃具本体を筒状に変形させることができ、凹凸や狭い場所などを清掃することができる。
【００２２】
また、挿入ガイドに沿って挿入ロッドを差し込んで清掃具本体の一部が弛んで筒状に形成された状態で保持具に取り付けられることにより、シート状の清掃具本体を簡単に筒状（棒状）に形成でき、狭い場所などに溜まったゴミを除去することができる。
【図面の簡単な説明】
【００２３】
【図１】本発明の第１実施形態に係る清掃装置の分解斜視図。
【図２】上記第１実施形態の清掃装置の平面図。
【図３】清掃装置の使用状態を示す平面図。
【図４】図３のＩＶ−ＩＶ線断面図。
【図５】（ａ）〜（ｄ）清掃具本体を保持具に取り付ける手順を表す参考図。
【図６】本発明の第２実施形態に係る清掃装置の分解斜視図。
【図７】第２実施形態の清掃具本体の変形例を示す斜視図。
【図８】第２実施形態の清掃具本体の変形例を示す斜視図。
【図９】第２実施形態の保持具の変形例を示す側面図。
【図１０】第２実施形態の保持具の変形例を表す斜視図。
【図１１】第２実施形態の保持具の変形例を表す斜視図。
【発明を実施するための形態】
【００２４】
次に、本発明の第１実施形態について図面を参照しながら説明するが、本発明はこの限りではない。図１は本発明の第１実施形態に係る清掃装置の分解斜視図であり、図２はその平面図である。図３は清掃装置の使用状態を示す平面図であり、図４は図３のＩＶ−ＩＶ線断面図である。図５（ａ）〜（ｄ）は清掃具本体を保持具に取り付ける手順を表す参考図である。
【００２５】
図１〜図３に示すように、第１実施形態に清掃装置１は、図示しない被清掃面を拭うための清掃具本体２と、同清掃具本体２を保持する保持具３とを備えている。清掃具本体２は、羊毛状に形成された不織布体２１からなり、適度な厚みとクッション性を備えている。
【００２６】
この例において、不織布体２１は合成樹脂製の羊毛状に形成されているが、例えば不織布シートを複数枚重ね合わせて適度な厚みとクッション性を持たせるようにしてもよい。また、目付量の高い不織布やスポンジなどであってもよく、不織布体２１の具体的な構成は仕様に応じて任意に採用されてよい。
【００２７】
不織布体２１の一部には、保持具３を清掃具本体２に挿入するための被挿入部４が設けられている。被挿入部４は、不織布体２１の上面に沿って固着される不織布製のシートからなり、被挿入部４の一部には、保持具３に設けられた挿入ロッド３４，３４が差し込まれる一対の挿入ガイド４１，４１が設けられている。なお、被挿入部４は、不織布シートに代えて樹脂フィルムであってもよい。
【００２８】
挿入ガイド４１，４１は、不織布体２１の軸線（図２では上下方向）を挟んで左右対称となるように一対に設けられ、始端４１ａから終端４１ｂに向かうにつれて互いに離反するＶ字状に形成されている。
【００２９】
この例において、挿入ガイド４１，４１は、被挿入部４を不織布体２１にヒートシールした際の溶着部をガイド通路として利用しているが、挿入ロッド３４，３４が挿入可能な挿入ガイド４１，４１として機能すれば、これ以外の方法が適用してもよい。
【００３０】
次に、保持具３について説明する。保持具３は、手によって把持されるグリップ３１と、同グリップ３１の先端に一体的に取り付けられる挿入部３２とを備えている。この例において、保持具３は合成樹脂の成型品からなる。
【００３１】
グリップ３１は、手によって把持しやすいように細長い柄となっており、その後端には、吊り下げて保管しておくためのフック孔３３が一体的に設けられている。フック孔３３の有無や形状については任意であってよい。また、逆にフック孔３３に変えてフックを設けて引っ掛けられるようにしてもよい。
【００３２】
この例において、グリップ３１は、図４に示すように、内部に屈曲自在はワイヤー材３１１を覆うように柔軟な樹脂素材によって被覆した可撓性を有し、グリップ３１自体が屈曲させて挿入部３２の向きを自在に変えられるようになっている。なお、グリップ３１の屈曲手段については仕様に応じて任意であってよい。
【００３３】
挿入部３２は、グリップ３１の先端（図２では上端）から同軸的に延設されており、一対の挿入ロッド３４，３４を備えている。挿入ロッド３４，３４は、軸線を挟んで左右対称に配置されており、基端側から自由端側に向かうにつれて互いに近接するように配置されている。挿入ロッド３４，３４は、互いに平行に配置されていてもよい。
【００３４】
各挿入ロッド３４，３４は、ともに同一形状で弾性変形可能な串状に形成されており、その端面には、挿入ロッド３４，３４を挿入ガイド４１，４１内に差し込んだ際に抜けないようにするための抜け止め凸部３５が設けられている。
【００３５】
この例において、抜け止め凸部３５は挿入ロッド３４の端面に半球状に張り出すように形成されており、挿入ロッド３４に沿って所定の間隔で３箇所設けられている。抜け止め用凸部３５の形状や数については、本発明において任意的事項であり、清掃具本体２の抜け止めとして作用するものであれば、仕様に応じて任意に選択されてよい。
【００３６】
この例において、グリップ３１と挿入部３２とは、ヒンジ部３６を介して折曲可能に連結されており、ヒンジ部３６を中心に、グリップ３１と挿入部３２とが互いに折り重なるようにして折り畳まれるようになっている。
【００３７】
保持具３に清掃具本体２を取り付け手順の一例について図５（ａ）〜（ｄ）を参照しながら説明する。まず、清掃具本体２を被挿入部４が水平となるように展開しておき、挿入ガイド４１，４１の各始端４１ａから挿入ロッド３４，３４を差し込んでゆく。
【００３８】
挿入ロッド３４，３４を挿入ガイド４１，４１内に差し込んでゆくと、挿入ロッド３４，３４は、Ｖ字状に形成された挿入ガイド４１，４１に沿って先端が離反しながら差し込まれてゆく。
【００３９】
挿入ロッド３４，３４の終端まで差し込んだのち、清掃具本体２から手を離すと、挿入ロッド３４，３４は弾性復元力によって自由端同士が互いに近接する方向に引き寄せられる。
【００４０】
これに伴い、清掃具本体２の被挿入部４が互いに内側となるように折り畳まれることにより、図５（ｄ）に示すように、清掃具本体２の不織布体２１が外側を向くように棒状に形成される。この状態において、ユーザはグリップ３１を把持して、不織布体２１を被清掃面に擦り付けることで、被清掃面上の埃を不織布体２１にて拭き取ることができる。
【００４１】
汚れた清掃具本体２を除去するに当たっては、片手でグリップ３１を把持したまま，他方の手で清掃具本体２をつまみ、互いに引っ張ることで、簡単に清掃具本体２を回収することができる。
【００４２】
この例において、清掃具本体２および保持具３には、清掃具本体２を保持具３の挿入ロッド３４の弾性復元力を利用して、清掃具本体２を棒状に折り畳んでいるが、より好ましい態様としては、清掃具本体２が折り畳まれた状態を維持するように保持するための保持手段が設けられていることが好ましい。
【００４３】
保持手段としては、清掃具本体２の不織布体２１の上面に両面粘着テープを貼り付けておき、清掃具本体２の上面の両端同士を互いに貼り合わせて棒状を維持するようにしてもよい。これ以外に、清掃具本体２を棒状に保持することができる方法があれば、任意に採用されてよい。
【００４４】
次に、本発明の第２実施形態について、図６〜図１０を参照して説明する。図６は、本発明の第２実施形態に係る清掃装置の分解斜視図であり、図７および図８は、第２実施形態の清掃具本体の変形例を示す斜視図である。図９は、第２実施形態の保持具の変形例を示す側面図である。図１１および図１２は、第２実施形態の保持具の変形例を表す斜視図である。
【００４５】
図６に示すように、この第２実施形態の清掃装置１Ａは、シート状の清掃具本体５と、それを保持する保持具３Ａとを備えている。保持具３Ａの基本構造は、上記第１実施形態の保持具３とほぼ同一であるため、同じ構成の場合には同じ参照符号を付し、その説明は省略する。
【００４６】
この第２実施形態において、保持具３Ａは、挿入ロッド３４，３４が、基端側から先端側に向かって互いに平行となるように設けられている。なお、挿入ロッド３４，３４は、第１実施形態と同様に、先端側に向かうにつれて互いに接近するように設けられていてもよい。
【００４７】
第２実施形態において、清掃具本体５は、例えば不織布などのシート基材５１からなり、その両端に挿入ロッド３４，３４が挿入される挿入ガイド５２，５２が設けられている。挿入ガイド５２，５２は、シート基材５１の両端を折り返して、その一部をヒートシールなどによって固着して形成されている。
【００４８】
清掃具本体５は、その幅方向の長さ（挿入ガイド５２，５２の間の長さ）が、少なくとも挿入ロッド３４，３４の間隔よりも十分長く設けられている。これによれば、図６に示すように、挿入ガイド５２，５２の一端の挿入孔５２ａ，５２ａから挿入ロッド３４，３４を差し込むことで、清掃具本体の一部が弛んで筒状に形成された状態で上記保持具に取り付けられる。
【００４９】
これにより、清掃具本体５の弛んだ部分を被清掃面などに押し付けたり、擦り付けたりすることで、被清掃面上にあるゴミを清掃具本体５で捕捉することができる。清掃具本体５のシート基材５１の材質は、この例では不織布であるが、例えば起毛処理などが施されていてもよい。
【００５０】
清掃具本体５を筒状に形成した状態を保持しやすくする方法の１つとして、図７に示すように、弾性および剛性のある厚手のシート基材５１を用いてもよい。厚手の素材として、例えばクッション性のスポンジシートなどに不織布を貼り合わせたものや、プラスチック性の芯材を用いるなどしてもよい。
【００５１】
また、別の変形例として、図８に示すように、清掃具本体５の挿入ガイド５２，５２を、挿入ロッド３４，３４の挿入される始端から終端に向かうにつれて、互いの間隔が漸次離反するように設けてもよい。
【００５２】
すなわち、挿入ガイド５２，５２をハの字状に形成することで、保持具３Ａの挿入ロッド３４，３４に差し込むと、清掃具本体５が基端から先端に向かって直径が漸次大きくなる円錐状となる。これによれば、より趣向を凝らした商品展開を行うことができる。
【００５３】
さらに別の変形例として、図９に示すように、この清掃具本体３Ａは、清掃具本体５を取り付けた状態で、清掃具本体５を筒状にした状態を維持する保形ロッド３７が設けられている。
【００５４】
保形ロッド３７は、例えばスポンジなどのクッションシートを外表面に備えた棒状を呈し、グリップ３１の基端から挿入ガイド５２に沿って平行に突設されている。これによれば、清掃具本体５の内周面に沿って保形ロッド６を接触させて清掃具本体５を取り付けることにより、清掃具本体５を確実に円筒体に形成することができるばかりでなく、表面に適度なクッション性が生まれることで、ゴミの捕捉性が向上する。
【００５５】
この第２実施形態において、挿入ロッド３４，３４は、互いに平行となるように２本設けられているが、その設置数は特に限定されない。すなわち、図１０に示すように、挿入ロッド３４，３４に加えて、さらに第２挿入ロッド３８を設けてもよい。
【００５６】
第２挿入ロッド３８は、挿入ロッド３４，３４と同一形状であり、挿入ロッド３４，３４に沿って平行に設けられている。挿入ロッド３４，３４および第２挿入ロッド３８は、それぞれが三角形の頂点に位置するように配置されている。
【００５７】
清掃具本体５には、第２挿入ロッド３８が挿入される第２挿入ガイド５３が設けられている。第２挿入ガイド５３は、清掃具本体５の幅方向のほぼ中央に設けられている。これによれば、挿入ガイド５２，５２に挿入ロッド３４，３４を差し込み、第２挿入ガイド５３に第２挿入ロッド３８を差し込むことで、清掃具本体５を筒状に保形することができる。
【００５８】
上述した第１および第２実施形態において、保持具３，３Ａは、グリップ３１の一端側に挿入ロッド３４が突設されているが、これ以外の形状であってもよい。すなわち、図１１に示すように、挿入ロッド３４，３４を中央から両方に向かってＨ字状に突設し、その中央にグリップ３１を連結するようにしてもよい。
【００５９】
これによれば、２つの清掃具本体５を同時に装着して、モップのようにして被清掃面を清掃することができ、より大きな清掃面積を清掃することができる。このような態様も本発明に含まれる。
【符号の説明】
【００６０】
１  清掃装置
２，５  清掃具本体
２１  不織布体
３，３Ａ，３Ｂ  保持具
３１  グリップ
３２  挿入部
３４，３４  挿入ロッド
３７  保形ロッド
３８  第２挿入ロッド
４  被挿入部
４１，４１  挿入ガイド
５２，５２  挿入ガイド
５３  第２挿入ガイド
【図１】
2010252887.tif 000003
【図２】
2010252887.tif 000004
【図３】
2010252887.tif 000005
【図４】
2010252887.tif 000006
【図５】
2010252887.tif 000007
【図６】
2010252887.tif 000008
【図７】
2010252887.tif 000009
【図８】
2010252887.tif 000010
【図９】
2010252887.tif 000011
【図１０】
2010252887.tif 000012
【図１１】
2010252887.tif 000013